【手続補正書】
【提出日】平成21年1月15日(2009.1.15)
【手続補正１】
【補正対象書類名】特許請求の範囲
【補正対象項目名】全文
【補正方法】変更
【補正の内容】
【特許請求の範囲】
【請求項１】
直交周波数分割多重（OFDM: Orthogonal Frequency Division Multiplexing）信号を受信するＯＦＤＭ信号受信手段と、
上記ＯＦＤＭ信号受信手段により受信されたＯＦＤＭ時間領域信号をフーリエ変換（FFT: Fast Fourier Transform）したＯＦＤＭ周波数領域信号中のパイロット信号を用いて伝送路特性を推定する伝送路特性推定手段と、
上記伝送路特性推定手段における伝送路特性推定に用いる時間方向伝送路推定手段と、
上記時間方向伝送路推定手段による時間方向伝送路推定結果の成否を判定する判定手段と、
上記判定手段による時間方向伝送路推定の成否判定結果に従って、上記伝送路特性推定手段における時間方向伝送路推定手段による時間方向伝送路推定の有無を切り替える切替制御手段と、
上記ＯＦＤＭ信号受信手段により受信されフーリエ変換された上記ＯＦＤＭ周波数領域信号について、上記伝送路特性推定手段により推定された伝送路特性に基づいて、伝送歪みを補償する処理を施す伝送歪み補償手段と
を備えることを特徴とするＯＦＤＭ受信装置。
【請求項２】
上記時間方向伝送路推定手段により推定された時間方向伝送路推定結果を逆フーリエ変換（IFFT: Inverse Fast Fourier Transform)して時間領域における伝送路特性を推定する時間領域伝送路特性推定手段と、
上記ＯＦＤＭ信号受信手段により受信されたＯＦＤＭ時間領域信号に対してガードインターバル期間の相関検出を行うガードインターバル相関演算手段とを備え、
上記判定手段は、上記時間領域伝送路特性推定手段による推定結果を上記ガードインターバル相関演算手段による演算結果と比較することにより、上記時間方向伝送路推定の成否を判定することを特徴とする請求項１記載のＯＦＤＭ受信装置。
【請求項３】
上記時間方向伝送路推定手段により推定された時間方向伝送路推定結果を逆フーリエ変換（IFFT: Inverse Fast Fourier Transform)して時間領域における伝送路特性を推定する時間領域伝送路特性推定手段と、
上記ＯＦＤＭ信号受信手段により受信されたＯＦＤＭ時間領域信号に対してガードインターバル期間のデータの相関検出を行うガード適応整合フィルタとを備え、
上記判定手段は、上記時間領域伝送路特性推定手段による推定結果を上記ガード適応整合フィルタによる検出結果と比較することにより、上記時間方向伝送路推定の成否を判定することを特徴とする請求項１記載のＯＦＤＭ受信装置。
【請求項４】
上記時間方向伝送路推定手段により推定された時間方向伝送路推定結果を逆フーリエ変換（IFFT: Inverse Fast Fourier Transform)して時間領域における伝送路特性を推定する時間領域伝送路特性推定手段と、
上記ＯＦＤＭ信号受信手段により受信されたＯＦＤＭ時間領域信号に対してガードインターバル期間のデータの相関検出を行うガード適応整合フィルタと、
上記ＯＦＤＭ信号受信手段により受信されたＯＦＤＭ時間領域信号に対してガードインターバル期間の相関検出を行うガードインターバル相関演算手段とを備え、
上記判定手段は、上記ガード適応整合フィルタによる検出結果と上記ガードインターバル相関演算手段による演算結果を切り替えながら上記時間領域伝送路特性推定手段による推定結果と比較することにより、上記時間方向伝送路推定の成否を判定することを特徴とする請求項１記載のＯＦＤＭ受信装置。
【請求項５】
直交周波数分割多重（OFDM: Orthogonal Frequency Division Multiplexing）信号を受信し、受信されたＯＦＤＭ時間領域信号をフーリエ変換（FFT: Fast Fourier Transform）したＯＦＤＭ周波数領域信号中のパイロット信号を用いて伝送路特性を推定し、上記フーリエ変換された上記ＯＦＤＭ周波数領域信号について、上記推定された伝送路特性に基づいて、伝送歪みを補償する処理を施すようにしたＯＦＤＭ信号受信方法であって、
上記伝送路特性の推定に用いる時間方向の伝送路推定結果の成否を判定し、
その成否判定結果に従って、上記伝送路特性の推定における時間方向伝送路推定の有無を切り替えることを特徴とするＯＦＤＭ信号受信方法。
【請求項６】
直交周波数分割多重（OFDM: Orthogonal Frequency Division Multiplexing）信号を受信するＯＦＤＭ信号受信手段と、
上記ＯＦＤＭ信号受信手段により受信されたＯＦＤＭ時間領域信号をフーリエ変換（FFT: Fast Fourier Transform）したＯＦＤＭ周波数領域信号中のパイロット信号を用いて伝送路特性を推定する伝送路特性推定手段と、
上記伝送路特性推定手段における伝送路特性推定に用いる時間方向伝送路推定手段と、
上記時間方向伝送路推定手段による時間方向伝送路推定結果の成否を判定する判定手段と、
上記時間方向伝送路推定手段により推定された時間方向伝送路推定結果を逆フーリエ変換（IFFT: Inverse Fast Fourier Transform)して時間領域における伝送路特性を推定する時間領域伝送路特性推定手段と、
上記時間領域伝送路特性推定手段により推定された時間領域伝送路特性に応じてフーリエ変換の演算範囲を指定するＦＦＴウインドウ再生を行うＦＦＴウインドウ再生手段と、
上記ＯＦＤＭ信号受信手段により受信されフーリエ変換されたＯＦＤＭ周波数領域信号について、上記伝送路特性推定手段により推定された伝送路特性に基づいて、伝送歪みを補償する処理を施す伝送歪み補償手段とを備え、
上記ＦＦＴウインドウ再生手段は、上記判定手段による時間方向伝送路推定の成否判定結果に従って、時間領域における伝送路特性推定のパス存在位置を有効シンボル長／１２の定数倍だけシフトさせることを特徴とするＯＦＤＭ受信装置。
【請求項７】
上記ＯＦＤＭ信号受信手段により受信されたＯＦＤＭ時間領域信号に対してガードインターバル期間の相関検出を行うガードインターバル相関演算手段を備え、
上記判定手段は、上記時間領域伝送路特性推定手段による推定結果を上記ガードインターバル相関演算手段による演算結果と比較することにより、上記時間方向伝送路推定の成否を判定することを特徴とする請求項６記載のＯＦＤＭ受信装置。
【請求項８】
上記ＯＦＤＭ信号受信手段により受信されたＯＦＤＭ時間領域信号に対してガードインターバル期間のデータの相関検出を行うガード適応整合フィルタを備え、
上記判定手段は、上記時間領域伝送路特性推定手段による推定結果を上記ガード適応整合フィルタによる検出結果と比較することにより、上記時間方向伝送路推定の成否を判定することを特徴とする請求項６記載のＯＦＤＭ受信装置。
【請求項９】
上記ＯＦＤＭ信号受信手段により受信されたＯＦＤＭ時間領域信号に対してガードインターバル期間のデータの相関検出を行うガード適応整合フィルタと、
上記ＯＦＤＭ信号受信手段により受信されたＯＦＤＭ時間領域信号に対してガードインターバル期間の相関検出を行うガードインターバル相関演算手段とを備え、
上記判定手段は、上記ガード適応整合フィルタによる検出結果と上記ガードインターバル相関演算手段による演算結果を切り替えながら上記時間領域伝送路特性推定手段による推定結果と比較することにより、上記時間方向伝送路推定の成否を判定することを特徴とする請求項６記載のＯＦＤＭ受信装置。
【請求項１０】
直交周波数分割多重（OFDM: Orthogonal Frequency Division Multiplexing）信号を受信し、受信されたＯＦＤＭ時間領域信号をフーリエ変換（FFT: Fast Fourier Transform）したＯＦＤＭ周波数領域信号中のパイロット信号を用いて伝送路特性を推定し、上記フーリエ変換された上記ＯＦＤＭ周波数領域信号について、上記推定された伝送路特性に基づいて、伝送歪みを補償する処理を施すようにしたＯＦＤＭ信号受信方法であって、
上記ＯＦＤＭ周波数領域信号中のパイロット信号を用いて時間方向の伝送路を推定し、
上記推定された時間方向伝送路推定結果を逆フーリエ変換（IFFT: Inverse Fast Fourier Transform)して時間領域における伝送路特性を推定し、
上記伝送路特性の推定に用いる時間方向の伝送路推定結果の成否を判定し、
上記時間領域の伝送路特性に応じてフーリエ変換の演算範囲を指定するＦＦＴウインドウ再生を行い、上記時間方向の伝送路推定の成否判定結果に従って、時間領域における伝送路特性推定のパス存在位置を有効シンボル長／１２の定数倍だけシフトさせることを特徴とするＯＦＤＭ信号受信方法。
【請求項１１】
直交周波数分割多重（OFDM: Orthogonal Frequency Division Multiplexing）信号を受信するＯＦＤＭ信号受信手段と、
上記ＯＦＤＭ信号受信手段により受信されたＯＦＤＭ時間領域信号をフーリエ変換（FFT: Fast Fourier Transform）したＯＦＤＭ周波数領域信号中のパイロット信号を用いて伝送路特性を推定する伝送路特性推定手段と、
上記伝送路特性推定手段における伝送路特性推定に用いる時間方向伝送路推定手段と、
上記時間方向伝送路推定手段による時間方向伝送路推定結果の成否を判定する判定手段と、
上記判定手段による時間方向伝送路推定の成否判定結果に従って、上記伝送路特性推定手段における時間方向伝送路推定手段による時間方向伝送路推定の有無を切り替える切替制御手段と、
上記時間方向伝送路推定手段により推定された時間方向伝送路推定結果を逆フーリエ変換（IFFT: Inverse Fast Fourier Transform)して時間領域における伝送路特性を推定する時間領域伝送路特性推定手段と、
上記時間領域伝送路特性推定手段により推定された時間領域伝送路特性に応じてフーリエ変換の演算範囲を指定するＦＦＴウインドウ再生を行うＦＦＴウインドウ再生手段と、
上記ＯＦＤＭ信号受信手段により受信されフーリエ変換されたＯＦＤＭ周波数領域信号について、上記伝送路特性推定手段により推定された伝送路特性に基づいて、伝送歪みを補償する処理を施す伝送歪み補償手段とを備え、
上記判定手段による時間方向伝送路推定の成否判定結果に従って、上記伝送路特性推定手段における時間方向伝送路推定手段による時間方向伝送路推定の有無を切り替えるとともに、上記ＦＦＴウインドウ再生手段により時間領域における伝送路特性推定のパス存在位置を有効シンボル長／１２の定数倍だけシフトさせることを特徴とするＯＦＤＭ受信装置。
【請求項１２】
上記ＯＦＤＭ信号受信手段により受信されたＯＦＤＭ時間領域信号に対してガードインターバル期間の相関検出を行うガードインターバル相関演算手段を備え、
上記判定手段は、上記時間領域伝送路特性推定手段による推定結果を上記ガードインターバル相関演算手段による演算結果と比較することにより、上記時間方向伝送路推定の成否を判定することを特徴とする請求項１１記載のＯＦＤＭ受信装置。
【請求項１３】
上記ＯＦＤＭ信号受信手段により受信されたＯＦＤＭ時間領域信号に対してガードインターバル期間のデータの相関検出を行うガード適応整合フィルタを備え、
上記判定手段は、上記時間領域伝送路特性推定手段による推定結果を上記ガード適応整合フィルタによる検出結果と比較することにより、上記時間方向伝送路推定の成否を判定することを特徴とする請求項１１記載のＯＦＤＭ受信装置。
【請求項１４】
上記ＯＦＤＭ信号受信手段により受信されたＯＦＤＭ時間領域信号に対してガードインターバル期間のデータの相関検出を行うガード適応整合フィルタと、
上記ＯＦＤＭ信号受信手段により受信されたＯＦＤＭ時間領域信号に対してガードインターバル期間の相関検出を行うガードインターバル相関演算手段とを備え、
上記判定手段は、上記ガード適応整合フィルタによる検出結果と上記ガードインターバル相関演算手段による演算結果を切り替えながら上記時間領域伝送路特性推定手段による推定結果と比較することにより、上記時間方向伝送路推定の成否を判定することを特徴とする請求項１１記載のＯＦＤＭ受信装置。
【請求項１５】
直交周波数分割多重（OFDM: Orthogonal Frequency Division Multiplexing）信号を受信し、受信されたＯＦＤＭ時間領域信号をフーリエ変換（FFT: Fast Fourier Transform）したＯＦＤＭ周波数領域信号中のパイロット信号を用いて伝送路特性を推定し、上記フーリエ変換されたＯＦＤＭ周波数領域信号について、上記推定された伝送路特性に基づいて、伝送歪みを補償する処理を施すようにしたＯＦＤＭ信号受信方法であって、
上記ＯＦＤＭ周波数領域信号中のパイロット信号を用いて時間方向の伝送路を推定し、
上記推定された時間方向伝送路推定結果を逆フーリエ変換（IFFT: Inverse Fast Fourier Transform)して時間領域における伝送路特性を推定し、
上記伝送路特性の推定に用いる時間方向の伝送路推定結果の成否を判定し、
その成否判定結果に従って、上記伝送路特性の推定における時間方向伝送路推定の有無を切り替えるとともに、
上記時間領域の伝送路特性に応じてフーリエ変換の演算範囲を指定するＦＦＴウインドウ再生を行い、上記時間方向の伝送路推定の成否判定結果に従って、時間領域における伝送路特性推定のパス存在位置を有効シンボル長／１２の定数倍だけシフトさせることを特徴とするＯＦＤＭ信号受信方法。
【手続補正２】
【補正対象書類名】明細書
【補正対象項目名】００３７
【補正方法】変更
【補正の内容】
【００３７】
また、本発明は、直交周波数分割多重（OFDM: Orthogonal Frequency Division Multiplexing）信号を受信し、受信されたＯＦＤＭ時間領域信号をフーリエ変換（FFT: Fast Fourier Transform）したＯＦＤＭ周波数領域信号中のパイロット信号を用いて伝送路特性を推定し、上記フーリエ変換された上記ＯＦＤＭ周波数領域信号について、上記推定された伝送路特性に基づいて、伝送歪みを補償する処理を施すようにしたＯＦＤＭ信号受信方法であって、上記ＯＦＤＭ周波数領域信号中のパイロット信号を用いて時間方向の伝送路を推定し、上記推定された時間方向伝送路推定結果を逆フーリエ変換（IFFT: Inverse Fast Fourier Transform)して時間領域における伝送路特性を推定し、上記伝送路特性の推定に用いる時間方向の伝送路推定結果の成否を判定し、上記時間領域の伝送路特性に応じてフーリエ変換の演算範囲を指定するＦＦＴウインドウ再生を行い、上記時間方向の伝送路推定の成否判定結果に従って、時間領域における伝送路特性推定のパス存在位置を有効シンボル長／１２の定数倍だけシフトさせることを特徴とする。
【手続補正３】
【補正対象書類名】明細書
【補正対象項目名】００３９
【補正方法】変更
【補正の内容】
【００３９】
また、本発明は、直交周波数分割多重（OFDM: Orthogonal Frequency Division Multiplexing）信号を受信し、受信されたＯＦＤＭ時間領域信号をフーリエ変換（FFT: Fast Fourier Transform）したＯＦＤＭ周波数領域信号中のパイロット信号を用いて伝送路特性を推定し、上記フーリエ変換されたＯＦＤＭ周波数領域信号について、上記推定された伝送路特性に基づいて、伝送歪みを補償する処理を施すようにしたＯＦＤＭ信号受信方法であって、上記ＯＦＤＭ周波数領域信号中のパイロット信号を用いて時間方向の伝送路を推定し、上記推定された時間方向伝送路推定結果を逆フーリエ変換（IFFT: Inverse Fast Fourier Transform)して時間領域における伝送路特性を推定し、上記伝送路特性の推定に用いる時間方向の伝送路推定結果の成否を判定し、その成否判定結果に従って、上記伝送路特性の推定における時間方向伝送路推定の有無を切り替えるとともに、上記時間領域の伝送路特性に応じてフーリエ変換の演算範囲を指定するＦＦＴウインドウ再生を行い、上記時間方向の伝送路推定の成否判定結果に従って、時間領域における伝送路特性推定のパス存在位置を有効シンボル長／１２の定数倍だけシフトさせることを特徴とする。
【手続補正４】
【補正対象書類名】明細書
【補正対象項目名】００６７
【補正方法】変更
【補正の内容】
【００６７】
そして、このＦＦＴ演算回路６のＦＦＴ出力であるＯＦＤＭ周波数領域信号を使ってパイロット利用伝送路推定回路７において周波数領域での伝送路推定を行い、上記時間方向伝送路推定回路７ｂによる時間方向伝送路推定の結果を遅延プロファイル推定回路１１のパイロットＩＦＦＴ１１ｂでＩＦＦＴ演算することにより、時間領域の伝送路特性が求まる。ウインドウ再生回路１２のシンボルタイミング推定回路１２ａは、このＩＦＦＴ出力を元に、より精度良くＦＦＴトリガーパルスを調整する。最後に、このパイロットＩＦＦＴ１１ｂのＩＦＦＴ出力から最も強いパスの位置情報を取り出し、それを用いて、ガード適応整合フィルタ１１ａを動かす。以降、シンボルタイミング推定回路１２ａは、ガードインターバル相関演算回路１２ｂとパイロットＩＦＦＴ１１ｂとガード適応整合フィルタ１１ａの各出力を用いて、伝送路プロファイルをパスの存在位置をモニタして適切に、ＦＦＴトリガーパルスを調整する。
【手続補正５】
【補正対象書類名】明細書
【補正対象項目名】００７４
【補正方法】変更
【補正の内容】
【００７４】
さらに、パイロットＩＦＦＴ１１ｂでは、時間方向伝送路推定回路７ｂで求めた周波数領域における時間方向の伝送路特性をＩＦＦＴすることにより時間領域における伝送路のインパルス応答を求める。パイロットＩＦＦＴ１１ｂでは、図１１に示すように、伝送路のインパルス応答を求めることができるが、図４で示した３サブキャリア毎のデータを使っていることから、有効シンボルの１／３のレンジでしか推定できない。これを超える遅延波がある場合は、折り返しが発生する。